(57)【特許請求の範囲】
【請求項１】
データが記録されたマスターネガフィルムを所定の焼き度で露光して上記データを再生フィルムに転写する場合の上記マスターネガフィルムを作成するマスターネガフィルム作成装置において、
所定形状の露光領域及び非露光領域を交互に複数配置すると共に上記露光領域と上記非露光領域との間にガードバンドを有する読取パターンを、上記再生フィルムに転写された上記データのための読取タイミング制御用パターンとして上記マスターネガフィルムに形成する読取パターン形成手段と、
上記読取パターン形成手段によって上記読取パターンを上記マスターネガフィルムに形成する際に、上記焼き度に応じて上記ガードバンドの幅を制御することにより、上記再生フィルムに転写された読取パターンの非露光領域から得られる信号レベルを上記再生フィルムに転写されたデータ部分から得られる信号レベルに対して一定の相対値に保持するガードバンド幅制御手段と
を具えることを特徴とするマスターネガフィルム作成装置。
【請求項２】
上記ガードバンド幅制御手段は、上記マスターネガフィルムに記録されている上記データを上記再生フィルムに転写するときの上記焼き度が適正値よりも高く、上記再生フィルムに転写されたガードバンドが露光領域となる場合には、上記マスターネガフィルムにおける上記ガードバンドの幅を規定値よりも狭く形成する
ことを特徴とする請求項１に記載のマスターネガフィルム作成装置。
【請求項３】
上記ガードバンド幅制御手段は、上記マスターネガフィルムに記録されている上記データを上記再生フィルムに転写するときの上記焼き度が適正値よりも高く、上記再生フィルムに転写されたガードバンドが非露光領域となる場合には、上記マスターネガフィルムにおける上記ガードバンドの幅を規定値よりも広く形成する
ことを特徴とする請求項１に記載のマスターネガフィルム作成装置。
【請求項４】
上記ガードバンド幅制御手段は、上記マスターネガフィルムに記録されている上記データを上記再生フィルムに転写するときの上記焼き度が適正値よりも低く、上記再生フィルムに転写されたガードバンドが露光領域となる場合には、上記マスターネガフィルムにおける上記ガードバンドの幅を規定値よりも広く形成する
ことを特徴とする請求項１に記載のマスターネガフィルム作成装置。
【請求項５】
上記ガードバンド幅制御手段は、上記マスターネガフィルムに記録されている上記データを上記再生フィルムに転写するときの上記焼き度が適正値よりも低く、上記再生フィルムに転写されたガードバンドが非露光領域となる場合には、上記マスターネガフィルムにおける上記ガードバンドの幅を規定値よりも狭く形成する
ことを特徴とする請求項１に記載のマスターネガフィルム作成装置。
【請求項６】
データが記録されたマスターネガフィルムを所定の焼き度で露光して上記データを再生フィルムに転写する場合の上記マスターネガフィルムを作成するマスターネガフィルム作成方法において、
所定形状の露光領域及び非露光領域を交互に複数配置すると共に、上記露光領域と上記非露光領域との間にガードバンドを有する読取パターンを、上記再生フィルムに転写された上記データのための読取タイミング制御用パターンとして上記マスターネガフィルムに形成する際、上記焼き度に応じて上記ガードバンドの幅を制御することにより上記再生フィルムに転写された読取パターンの非露光領域から得られる信号レベルを上記再生フィルムに転写されたデータ部分から得られる信号レベルに対して一定の相対値に保持する
ことを特徴とするマスターネガフィルム作成方法。
【請求項７】
上記マスターネガフィルム作成方法は、
上記マスターネガフィルムに記録されている上記データを上記再生フィルムに転写するときの上記焼き度が適正値よりも高く、上記再生フィルムに転写されたガードバンドが露光領域となる場合には、上記マスターネガフィルムにおける上記ガードバンドの幅を規定値よりも狭く形成する
ことを特徴とする請求項６に記載のマスターネガフィルム作成方法。
【請求項８】
上記マスターネガフィルム作成方法は、
上記マスターネガフィルムに記録されている上記データを上記再生フィルムに転写するときの上記焼き度が適正値よりも高く、上記再生フィルムに転写されたガードバンドが非露光領域となる場合には、上記マスターネガフィルムにおける上記ガードバンドの幅を規定値よりも広く形成する
ことを特徴とする請求項６に記載のマスターネガフィルム作成方法。
【請求項９】
上記マスターネガフィルム作成方法は、
上記マスターネガフィルムに記録されている上記データを上記再生フィルムに転写するときの上記焼き度が適正値よりも低く、上記再生フィルムに転写されたガードバンドが露光領域となる場合には、上記マスターネガフィルムにおける上記ガードバンドの幅を規定値よりも広く形成する
ことを特徴とする請求項６に記載のマスターネガフィルム作成方法。
【請求項１０】
上記マスターネガフィルム作成方法は、
上記マスターネガフィルムに記録されている上記データを上記再生フィルムに転写するときの上記焼き度が適正値よりも低く、上記再生フィルムに転写されたガードバンドが非露光領域となる場合には、上記マスターネガフィルムにおける上記ガードバンドの幅を規定値よりも狭く形成する
ことを特徴とする請求項６に記載のマスターネガフィルム作成方法。
【発明の詳細な説明】
技術分野
本発明はマスターネガフィルム作成装置、マスターネガフィルム作成方法及びマスターネガフィルムに関し、例えば映画フィルムにディジタル音声データを記録する場合に適用して好適なものである。
背景技術
従来、図８に示すように映画フィルム１においては一連の動画を形成する複数のコマ画像２が１コマずつ順次記録されていると共に、フィルム長手方向の両側部分に設けられたパーフォレーション３の一方の内側部分に沿ってアナログ音声信号の記録されたアナログ音声信号トラック５が形成されている。またディジタル音声データの記録されたディジタル音声データトラック４が、例えば両側のパーフォレーション３のそれぞれ外側部分に沿って形成されている。
この映画フィルム１におけるディジタル音声データトラック４は、図９に示すように１ブロック当たり１ビットのデータを表すようになされた複数ブロックから形成されており、ライン同期パターン８、トラッキング用パターン９、メイン信号パターン１０及びアジマス検出用パターン１１によって形成されている。
ライン同期パターン８は、フィルム長手方向における２列分の複数ブロックから形成されており、フィルム長手方向と直交する行方向のメイン信号パターン１０に信号成分が存在しているか否かを表している。図９の場合のライン同期パターン８の各行方向における２ブロックは露光されておらず、各行方向にメイン信号パターン１０の信号成分が存在することを表している。
トラッキング用パターン９は、フィルム長手方向における４列分の複数ブロックから形成されており、ライン同期パターン８の各ブロックに対して長手方向に半ブロック分だけずれた位置の各行毎に２ブロックずつ露光部分と非露光部分とが交互に表れる市松模様が形成されている。
メイン信号パターン１０は、ライン同期パターン８と同一行でフィルム長手方向における８列分の複数ブロックから形成されており、各行毎の８ブロックにディジタル音声データが記録されると共に、トラッキング用パターン９と同様の市松模様に形成されたブロック２行分のアジマス検出用パターン１１がコマ画像２の１コマの開始時点ごとに出現するようになされている。
このようなディジタル音声データトラック４は、ライン同期パターン８、トラッキング用パターン９及びメイン信号パターン１０において各ブロックの列方向及び行方向毎に所定幅でなるガードバンド１２が各ブロックに挟まれるように形成されており、これにより列方向及び行方向に隣接する各ブロックの信号成分が干渉すること（クロストーク）を防止している。
このような映画フィルム１を再生する上映時には、図１０に示すように映画フィルム再生装置１５によって映画フィルム１を所定速度で矢印方向に走行させながら、光源２０からの光源光を映画フィルム１のコマ画像２に１コマずつ照射し、レンズ２１を介して動画像としてスクリーン２２に映し出す。
このとき同時に映画フィルム再生装置１５は、光源２３からの光源光を映画フィルム１のディジタル音声データトラック４に照射し、トラッキング用パターン９における行方向のガードバンド１２がＣＣＤカメラ２５の受光範囲（図９）において中心となるような読取タイミングでディジタル音声データトラック４の透過光をレンズ２４を介して取り込む。
そして映画フィルム再生装置１５は、トラッキング用パターン９を介して得られたＣＣＤカメラ２５の出力信号をトラッキング調整回路２６に送出する。トラッキング調整回路２６は、ＣＣＤカメラ２５の出力信号を基にトラッキング制御信号Ｓ１を生成してＣＣＤカメラ２５に送出することにより、トラッキング用パターン９の行方向のガードバンド１２を中心として上側２ブロックの露光部分と下側２ブロックの非露光部分との比率が同じになるようにトラッキング調整を行う。
一方映画フィルム再生装置１５は、ＣＣＤカメラ２５における受光範囲のトラッキング制御を行いながらＣＣＤカメラ２５によって取り込んだメイン信号パターン１０のディジタル音声データをディジタル変換回路２７に送出し、当該ディジタル変換回路２７によってアナログ音声信号に変換し、音声信号出力回路２８を介して所定レベルに増幅した後、スピーカ２９を介して音声を出力するようになされている。
ところで映画フィルム１は、マスターネガフィルムと何も記録されていない生フィルムとを光学的にコンタクトプリントすることによって作成されるポジフィルムである。その作成工程は、まずディジタル音声データを所定の焼き度（記録濃度）でマスターネガフィルムに記録し、次にそのマスターネガフィルムと生フィルムをコンタクトプリントすることによってディジタル音声データを生フィルムであるポジフィルムに適正な焼き度で転写する。ここでいう焼き度（Ｄｅｎｓｉｔｙ）とは、フィルムの黒さの度合いを表す値である。そして、適正な焼き度とは、ポジフィルム上に光学転写されるディジタル音声データが再生装置において正しく読み取れる程度の濃度で記録されたときの値を指し、ネガやポジのフィルム性質、およびディジタル音声データのサイズや再生装置の性能等、諸条件を考慮して予め設定される。
実際上図１１に示すように、映画フィルム作成装置４０では、何ら記録されていない生フィルム３０を矢印Ａ方向に走行させると共に、ディジタル音声データが記録されたネガフィルム３１を矢印Ａ方向と同一方向に同一速度で走行させ、上述のように適正な焼き度でディジタル音声データが生フィルム３０に記憶されるように光源３２から所定発光強度の光源光をネガフィルム３１のディジタル音声データトラックを介して生フィルム３０に照射する。
このとき映画フィルム作成装置４０は、ディジタル音声データを生フィルム３０に記録すると同時に、静止画の記録されているネガフィルム３３を矢印Ａ方向と同一方向に走行させ、光源３４からの光源光をネガフィルム３３のコマを介して生フィルム３０に照射することにより、静止画を１コマずつ生フィルム３０に複数記録する。
このようにして映画フィルム作成装置４０は、生フィルム３０に静止画及びディジタル音声データを記録してポジフィルム３５を作成し、これを映画フィルム１として映画フィルム再生装置１５（図１０）を介して上映するようになされている。
ところでかかる構成の映画フィルム作成装置４０においては、ポジフィルム３５を作成する際に予め焼き度を適正値よりも高く（濃く）してプリントすることがあり、これによりポジフィルム３５のディジタル音声データトラック４における露光部分と非露光部分とのコントラストを明瞭にしてダイナミックレンジを上げている。
実際上図１２に示すように、トラッキング用パターンにおいて規定幅のガードバンド４１が形成されたマスターネガフィルム３１を基に適正値よりも高い焼き度でプリントしてポジフィルム３５を作成した場合、当該ポジフィルム３５のガードバンド１２を含んだ露光部分から滲みが拡がって非露光部分にまではみ出す現象が起き、これにより非露光部分が滲みによって浸食されることになる。
このような場合、図１３に示すように映画フィルム再生装置１５（図１０）のＣＣＤカメラ２５によって取り込まれたポジフィルム３５のトラッキング用パターン９の信号レベルは、非露光部分（光を透過し易い）の面積が滲みの浸食によって減少したことにより、殆ど０に近いレベルＤにまで低下する。
従って適正値よりも非常に高い焼き度でプリントされた場合のポジフィルム３５は、非露光部分までかなり滲みで覆われてしまう。このような場合映画フィルム再生装置１５は、ＣＣＤカメラ２５の受光範囲（図９）からの読み取りタイミングをフィルム長手方向に微小に動かしたくらいではトラッキング用パターン９からはほとんど信号成分が得られず、これによりトラッキング調整（メイン信号パターン１０の行中心をＣＣＤカメラ２５の受光範囲が読み取れるようにするための読み取りタイミング調整）を行うことが困難になるという問題があった。
一方、ネガフィルム３１を基に適正値よりも低い焼き度でプリントした場合のポジフィルム３５は、露光部分が十分に露光されないために非露光部分（光を透過し易い）の面積が全体として増加することになり、その結果ＣＣＤカメラ２５の出力信号の信号レベルはレベルＥまで上昇することになる。
ところで、ポジフィルム３５を作成する際にトラッキング用パターン９とメイン信号パターン１０とは同じ焼き度でプリントされるため、焼き度に応じてＣＣＤカメラ２５のメイン信号パターン１０の出力信号の信号レベルとトラッキング用パターン９の出力信号の信号レベルとはほぼ連動する。
映画フィルム再生装置１５では、ポジフィルム３５のメイン信号パターン１０から読み取ったディジタル音声データの「１」、「０」を２値判定する場合、適正値の焼き度でプリントされたときのトラッキング用パターン９から得られる信号レベルを、ディジタルアナログ変換回路２７において図１４に示す閾値レベルＡとして用いることにより、２値データの判定を行うようになされている。因みにトラッキング用パターン９における閾値レベルＡは、露光されたガードバンド１２部分の存在を考慮して、メイン信号パターンの「１」、「０」を判定する場合の理想的な閾値レベル（図１３）よりも僅かに低くなる。
従って映画フィルム再生装置１５は、焼き度が適正値よりも非常に高く、滲みによる浸食量が大きい場合にポジフィルム３５のトラッキング用パターン９からの信号レベルがＤレベルにまで下がると、メイン信号パターン１０に記録されているディジタル音声データの「１」、「０」を２値判定する際の閾値レベルＡを下げる必要があると共に、これとは逆に焼き度が適正値よりも非常に低く、信号レベルがＥレベルにまで上がると、ディジタル音声データの「１」、「０」を２値判定する際の閾値レベルＡを上げる必要がある。
このように映画フィルム再生装置１５においては、焼き度に応じてディジタル音声データの「１」、「０」を２値判定する閾値レベルＡを適時変更する必要があるが、ポジフィルム３５を作成するときの焼き度に応じて閾値レベルＡを変更することは複雑な処理を行わなければならないため非常に困難であった。
発明の開示
本発明は以上の点を考慮してなされたもので、常に安定した再生特性が得られる再生フィルムを簡易な構成及び方法で作成し得るマスターネガフィルム作成装置、マスターネガフィルム作成方法及びマスターネガフィルムを提案しようとするものである。
かかる課題を解決するため本発明においては、データが記録されたマスターネガフィルムを所定の焼き度で露光してデータを再生フィルムに転写する場合のマスターネガフィルムを作成する場合、所定形状の露光領域及び非露光領域を交互に複数配置すると共に、露光領域と非露光領域との間にガードバンドを有する読取パターンを、再生フィルムに転写されたデータのための読取タイミング制御用パターンとしてマスターネガフィルムに形成する際、焼き度に応じてガードバンドの幅を制御することにより、再生フィルムに転写された読取パターンの非露光領域から得られる信号レベルを再生フィルムに転写されたデータ部分から得られる信号レベルに対して一定の相対値に保持するようにする。
読取パターンをマスターネガフィルムに形成する際、再生フィルムに転写された読取パターンの非露光領域から得られる信号レベルが、再生フィルムに転写されたデータ部分から得られる信号レベルに対して一定の相対値を保持するように焼き度に応じてガードバンドの幅を制御することにより、作成された再生フィルムの焼き度に応じて露光領域の滲み量が変化しても非露光領域の面積を一定範囲内に制御し得、当該非露光領域から得た一定の信号レベルに基づいて正確にデータを読み取ることができる。
予め記録されたデータを所定の焼き度でデータを再生フィルムに転写するマスターネガフィルムにおいて、所定形状の露光領域及び非露光領域が交互に複数配置されると共に、露光領域と非露光領域との間にガードバンドを有する読取パターンがデータの読取タイミング制御用パターンとして形成される際、焼き度に応じてガードバンドの幅が制御されることにより、再生フィルムに転写された読取パターンの非露光領域から得られる信号レベルが再生フィルムに転写されたデータ部分から得られる信号レベルに対して一定の相対値に保持させるようにする。
予め記録されたデータを所定の焼き度で再生フィルムに転写する場合に用いられるマスターネガフィルムに読取パターンが形成される場合、再生フィルムに転写された読取パターンの非露光領域から得られる信号レベルが再生フィルムに転写されたデータ部分から得られる信号レベルに対して一定の相対値を保持するように、焼き度に応じてガードバンドの幅を制御することにより、作成された再生フィルムの焼き度に応じて露光領域の滲み量が変化しても、非露光領域の面積が一定範囲内に制御されるため、非露光領域から得た一定の信号レベルに基づいて正確にデータを読み取ることができる。
発明を実施するための最良の形態
以下図面について、本発明の一実施の形態を詳述する。
図１において５０は全体としてマスターネガフィルム作成装置を示し、ポジフィルムを作成するために必要なマスターネガフィルム６７を作成するようになされている。このマスターネガフィルム作成装置５０は、エンコーダ部６４のシステムコントローラ６５から送られてくる制御信号Ｓ６５Ａを開始タイミングとしてディジタル音声データ再生装置５１によってディジタル音声データＤ５１を読み出し、当該ディジタル音声データＤ５１をサンプリングレート変換部５２に送出する。
サンプリングレート変換部５２は、ディジタル音声データＤ５１のサンプリング周波数をマスターネガフィルム作成装置５０において設定されている所定のサンプリング周波数に変換し、これを音声データＤ５２として符号化回路５３に送出する。符号化回路５３は、音声データＤ５２を所定の方式で圧縮符号化し、これを音声データＤ５３としてエラー検出及び訂正回路５４に送出する。
エラー検出及び訂正回路５４は、音声データＤ５３に対してエラー検出及び訂正用ビットを付加し、これを音声データＤ５４としてチャンネルコーディング回路５５に送出する。チャンネルコーディング回路５５は、音声データＤ５４の順番を入れ換える等の処理を行った後、これを音声データＤ５５としてＬＥＤ（Ｌｉｇｈｔ  Ｅｍｉｔｔｉｎｇ  Ｄｉｏｄｅ）駆動回路５６に送出する。
またシステムコントローラ６５は、制御信号Ｓ６５Ｂをカメラシステムコントロール部５７に供給する。カメラシステムコントロール部５７は、制御信号Ｓ６５Ｂを受け取ったタイミングでＬＥＤタイミングコントローラ５９を介してＬＥＤ駆動回路５６を駆動することにより、複数個の発光素子からなるＬＥＤ６０の照射時間（タイミングと長さ）を音声データＤ５５に応じて制御すると共に、リールサーボ部５８を介して記録部６６のフィルム供給リール７１及びフィルム巻取リール７２における動作を制御する。
記録部６６は、図２に示すようにリールサーボ部５８（図１）の制御に基づいてフィルム供給リール７１及びフィルム巻取リール７２を矢印方向に回転駆動することにより、マスターネガフィルム６７をガイド部７３の各ガイドローラを介して所定速度で走行させる。
そして記録部６６では、ガイド部７３内に設けられたＬＥＤ６０Ａおよび６０Ｂからの照射光を、光ファイバーケーブル７４Ａおよび７４Ｂを介して、それぞれの先端部分で図３Ａに示すようなスリット７５Ａおよび７５Ｂを用いて照射光を均等に分光させ、さらにその後、それぞれの分光をレンズ７６Ａおよび７６Ｂを介して走行中のマスターネガフィルム６７に照射するような構成になっている。あるいはまた、図３Ｂに示すように、光ファイバーケーブル７４Ａおよび７４Ｂは複数本の光ファイバー束から成っていて、各先端部分においてスリットを用いることなく、複数本の光ファイバーを一列配置させるような構成としてもよい。その場合、それぞれの光ファイバーから照射される光は、厳密には（各光ファイバーの外周コーティング部分の厚み×２）の間隔を保って照射されることになる。
実際、ＬＥＤ６０Ａ及び６０Ｂに光ファイバケーブル７４Ａ及び７４Ｂを介して接続されたスリット７５Ａ及び７５Ｂは、図３Ａ、３Ｂに示すようにマスターネガフィルム６７の幅方向における両エッジに相当する位置に配置されており、これによりマスターネガフィルム６７の両エッジに設けられたパーフォレーションの外側部分に沿ってディジタル音声データトラックを形成し得るようになされている。
このように記録部６６では、音声データＤ５５に基づいてＬＥＤ６０Ａ及び６０Ｂにおける複数の発光素子の照射時間をそれぞれ制御することにより、ディジタル音声データをマスターネガフィルム６７のパーフォレーションの両外側部分に沿って記録すると共に、ＬＥＤ６０Ａ及び６０Ｂにおける複数の発光素子の照射時間をそれぞれ制御することによりライン同期パターン及びトラッキング用パターンを記録してマスターネガフィルム６７を作成するようになされている。
因みにシステムコントローラ６５（図１）は、映像データ再生装置６１から供給される制御データＤ６１に基づいて制御信号Ｓ６５Ａ及びＳ６５Ｂを出力するようになされており、これにより映像と音声とのタイミングを一致させて記録し得るようになされている。
ところで本発明におけるシステムコントローラ６５は、マスターネガフィルム６７にディジタル音声データトラックを形成する際に、ポジフィルムに転写される際の焼き度を考慮してトラッキング用パターンのガードバンド幅を制御するようになされている。
すなわち、ポジフィルムにおけるガードバンド部分は露光部分であるため、高い焼き度でマスターネガフィルムから転写された場合、ガードバンド部分から非露光部分にはみ出す滲みの侵食量が多くなるため、システムコントローラ６５では、このことを考慮してマスターネガフィルム６７を作成する段階で予めガードバンドの幅を既定値よりも狭く形成するようにしている。
例えば図４に示すように、マスターネガフィルム６７から転写されたポジフィルム６８のガードバンド７９が露光部分となる場合、システムコントローラ６５は焼き度に応じて決まる滲みの浸食量に基づいて、マスターネガフィルム６７を作成する段階で規定値よりも予め狭い幅のガードバンド７８を有するトラッキング用パターンを形成する。
但しシステムコントローラ６５は、マスターネガフィルム６７のガードバンド７８の幅を狭く形成するだけであってガードバンド７８を必ず残すようにしたことにより、露光部分と非露光部分とが干渉することを防止している。
なおシステムコントローラ６５は、マスターネガフィルム６７のトラッキング用パターンにおけるガードバンド７８の幅だけを狭くして、メイン信号パターンにおけるガードバンドの幅に関しては規定のまま変更しないでおく。これによりシステムコントローラ６５は、高い焼き度でポジフィルム６８が作成されたときにメイン信号パターンの各ブロック同志が滲みによって干渉することを防止し、かくして再生時のポジフィルム６８からデータを読み取る時の信号特性に対する悪影響（信号部分における濃度測定や読取エラー等）を防止するようになされている。
因みに、焼き度が高くなるに連れて滲みの浸食量が多くなるので、システムコントローラ６５はポジフィルム６８の焼き度に応じて最適な幅のガードバンド７８をマスターネガフィルム６７に形成するための対応テーブルを内部メモリ（図示せず）に格納しており、ポジフィルム６８を作成するときの焼き度に応じた最適な幅のガードバンド７８をマスターネガフィルム６７に形成し得るようになされている。
このように焼き度に応じた最適な幅のガードバンド７８が形成されたディジタル音声データトラックを有するマスターネガフィルム６７を用いてポジフィルム６８にディジタル音声データを記録する場合、図１１との対応部分に同一符号を付して示す図５に示すように映画フィルム作成装置８０は、生フィルム１５を走行させると共に、マスターネガフィルム６７を同様に走行させて光源１７から焼き度に応じた発光強度の光源光をデイジタル音声データトラックに照射することにより、適正値よりも高い焼き度でプリントされたポジフィルム６８を作成する。
このとき作成されたポジフィルム６８においても、トラッキング用パターンのガードバンド７９部分からはみ出した滲みによって非露光部分が浸食されるが、マスターネガフィルム６７のガードバンド７８の幅が予め狭く形成されているために、非露光部分の面積が大幅に減少することがなく、適正な焼き度でプリントしたときとほぼ同程度の面積を有するようになされている。
このようなポジフィルム６８を再生する場合、図１０との対応部分に同一符号を付して示す図６に示すように映画フィルム再生装置９０は、ポジフィルム６８を所定速度で矢印方向に走行させながら、光源２３からの光源光をポジフィルム６８のディジタル音声データトラックに照射する。
このとき映画フィルム再生装置９０は、ＣＣＤカメラ２５の受光範囲においてポジフィルム６８のトラッキング用パターンにおけるガードバンド７９から滲みがはみ出して非露光部分が浸食されているにも係わらず、非露光部分の面積が適正な焼き度でプリントしたときとほぼ同程度である（図４）ことにより、ＣＣＤカメラ２５の出力信号における信号レベルが低下することはない。
従って映画フィルム再生装置９０は、ポジフィルム６８のトラッキング用パターンから得られるＣＣＤカメラ２５の出力信号に基づいて、ガードバンド７９を中心として上側２ブロック及び下側２ブロックの非露光部分の比率が同じになるように制御して正確にトラッキング調整を行うことができる。
また映画フィルム再生装置９０は、ポジフィルム６８のトラッキング用パターンにおける非露光部分の面積が規定の焼き度でプリントしたときとほぼ同程度であることにより、ＣＣＤカメラ２５の出力信号から閾値レベルＡと同程度の信号レベルを得ることができ、かくしてディジタルアナログ変換回路２７によって閾値レベルＡに基づいてメイン信号パターンの２値データを正確に判定し得るようになされている。
なお映画フィルム再生装置９０は、ＣＣＤカメラ２５から得られる出力信号のレベルが変化した場合でも、出力信号の常に最も明るいピーク値を１として正規化し、トラッキング用パターンで得られた閾値レベルＡを用いて２値判定を行うようにしたことにより、光源２３の光量のばらつきや露光されていない部分の透明度のばらつきに対しても正確に２値判定を行うようになされている。
以上の構成において、マスターネガフィルム作成装置５０はマスターネガフィルム６７のディジタル音声データトラックを形成する際、システムコントローラ６５の制御に基づいてマスターネガフィルム６７からポジフィルム６８を作成するときの焼き度に応じた所定幅のガードバンド７８をトラッキング用パターンに形成する。
すなわちシステムコントローラ６５は、ポジフィルムの焼き度が適正値よりも高い程、トラッキング用パターンのガードバンド７９部分からはみ出す滲みの浸食面積が大きくなるため、その分を考慮してマスターネガフィルム６７を作成するときに予めガードバンド７８の幅を規定値よりも狭く形成する。
このようにポジフィルムの焼き度に応じて規定値よりも狭い幅のガードバンド７８が形成されたディジタル音声データトラックを有するマスターネガフィルム６７を用いて作成されたポジフィルム６８からディジタル音声データが再生された場合、ポジフィルム６８のトラッキング用パターンから得られるＣＣＤカメラ２５の出力信号の信号レベルは、メイン信号パターンから得られる再生信号の信号レベルに対して閾値レベルＡによって一定に保持される。
このようにマスターネガフィルム作成装置５０は、ポジフィルム６８を作成するときの焼き度に応じた所定幅のガードバンド７８をマスターネガフィルム６７のトラッキング用パターンに形成することにより、当該マスターネガフィルム６７を用いて作成されたポジフィルム６８のトラッキング用パターンから得られるＣＣＤカメラ２５の出力信号の信号レベルを、メイン信号パターンから得られる再生信号の信号レベルに対して常に一定の相対値として保持できる。
以上の構成によれば、マスターネガフィルム作成装置５０はシステムコントローラ６５の制御に基づいてマスターネガフィルム６７からポジフィルム６８を作成するときの焼き度に応じた所定幅のガードバンド７８をトラッキング用パターンに形成することにより、マスターネガフィルム６７を用いて適正値よりも高い焼き度で作成されたポジフィルム６８の再生時に、当該ポジフィルム６８のトラッキング用パターンから得られるＣＣＤカメラ２５の出力信号の信号レベルを、メイン信号パターンから得られる再生信号の信号レベルに対して閾値レベルＡで表される一定の相対値として保持できるので、トラッキング調整を正確に実行できると共に、ディジタル音声データを閾値レベルＡに基づいて正確に復元することができる。
またこの場合のポジフィルム６８は、焼き度に応じた所定幅のガードバンド７８が形成されたマスターネガフィルム６７を用いて適正値よりも高い焼き度でプリントされていることにより、露光部分と非露光部分とのコントラストが明瞭になっており、黒の強い露光部分には傷が付き難くなっている。
またポジフィルム６８は、適正値よりも高い焼き度でプリントされているにも係わらず、非露光部分の面積が減少することがなく、非露光部分によって得られる信号レベルが再生信号の信号レベルに対して常に一定の相対値として保持されていることにより、透明な非露光部分に傷が付けられて再生時の信号レベルが下がったとしてもその影響は少なくて済み、トラッキング調整や２値判定に誤動作を生じさせることを低減することができる。
なお上述の実施の形態においては、ポジフィルム６８を作成するときの焼き度が適正値よりも高くポジフィルム６８のガードバンド７９が露光部分となる場合に、マスターネガフィルム作成装置５０のシステムコントローラ６５の制御に基づいてマスターネガフィルム６７のガードバンド７８の幅を規定値よりも狭く形成するようにした場合について述べたが、本発明はこれに限らず、図７に示すようにポジフィルム１０１のガードバンド１０２が非露光部分となる場合には、マスターネガフィルム１００を作成する段階で焼き度に応じて露光部分からはみ出す滲みの浸食量を考慮してガードバンド１０３の幅を規定値よりも広く形成すれば良い。
また上述の実施の形態においては、マスターネガフィルム６７からポジフィルム６８を作成する際に焼き度を高くするようにした場合について述べたが、本発明はこれに限らず、焼き度を低くする場合にも適用できる。例えば、ポジフィルム６８を作成するときの焼き度が適正値よりも低くポジフィルム６８のガードバンド７９が露光部分となる場合には、システムコントローラ６５の制御に基づいてマスターネガフィルム６７のガードバンド７８の幅を規定値よりも広く形成し、ポジフィルム６８のガードバンド７９が非露光部分となる場合には、システムコントローラ６５の制御に基づいてマスターネガフィルム６７のガードバンド７８の幅を規定値よりも狭く形成すれば良い。
さらに上述の実施の形態においては、マスターネガフィルム作成装置５０の読取パターン形成手段としてのエンコーダ部６４及び記録部６６によって読取パターンとしてのディジタル音声データトラックをマスターネガフィルム６７に形成する場合、制御手段としてのシステムコントローラ６５及びカメラシステムコントロール部５７の制御に基づいてメイン信号パターン１０の１ラインごとにトラッキング用パターン９のガードバンド１２の幅を制御するようにした場合について述べたが、本発明はこれに限らず、１コマごとに現れるアジマス検出用パターン１１に設けられているガードバンドの幅を制御するようにしても良い。この場合、アジマス検出用パターンを確実に読み取って正確に１コマの開始タイミングを認識することができる。
上述のように本発明によれば、読取パターンをマスターネガフィルムに形成する際、再生フィルムに転写された読取パターンの非露光領域から得られる信号レベルが再生フィルムに転写されたデータ部分から得られる信号レベルに対して一定の相対値を保持するように、焼き度に応じてガードバンドの幅を制御することにより、作成された再生フィルムの焼き度に応じて露光領域の滲み量が変化しても、非露光領域の面積を一定範囲内に制御し得、当該非露光領域から得た一定の信号レベルに基づいて正確にデータを読み取ることができ、かくして常に安定した再生特性を持つ再生フィルムを簡易な構成及び方法で作成し得るマスターネガフィルム作成装置、マスターネガフィルム作成方法を実現することができる。
また本発明によれば、所定の焼き度で露光してデータを再生フィルムに転写する場合に用いられるマスターネガフィルムに読取パターンが形成される場合、再生フィルムに転写された読取パターンの非露光領域から得られる信号レベルが再生フィルムに転写されたデータ部分から得られる信号レベルに対して一定の相対値を保持するように、焼き度に応じてガードバンドの幅が制御されることにより、作成された再生フィルムの焼き度に応じて露光領域の滲み量が変化しても、非露光領域の面積が一定範囲内に制御されるため、非露光領域から得た一定の信号レベルに基づいて正確にデータを読み取ることができ、かくして常に安定した再生特性を持つ再生フィルムを作成するためのマスターネガフィルムを実現することができる。
産業上の利用可能性
本発明は、映画フィルムにディジタル音声データを記録する映画フィルム作成装置に利用できる。
【図面の簡単な説明】
図１は、本発明によるマスターネガフィルム作成装置の構成を示すブロック図である。
図２は、記録部の構成を示す略線的断面図である。
図３Ａは、ディジタル音声データのマスターネガフィルムへの記録方法の説明に供する略線図である。（その１）
図３Ｂは、ディジタル音声データのマスターネガフィルムへの記憶方法の説明に供する路線図である。（その２）
図４は、ガードバンドの幅が規定値よりも細く形成されたトラッキング用パターンを示す略線図である。
図５は、映画フィルム作成装置を示す略線的概略図である。
図６は、映画フィルム再生装置を示すブロック図である。
図７は、他の実施の形態におけるトラッキング用パターンを示す略線図である。
図８は、映画フィルムの構成を示す略線図である。
図９は、ディジタル音声データトラックを示す路線的拡大図である。
図１０は、映画フィルム再生装置を示すブロック図である。
図１１は、映画フィルム作成装置の構成を示す略線的概略図である。
図１２は、従来の規定幅のガードバンドが形成されたトラッキング用パターンを示す略線図である。
図１３は、ポジフィルムから読み取られた信号レベルを表す略線図である。
図１４は、ポジフィルムから読み取った信号をディジタル化する回路の構成を示す略線図である。
【図１】
0004366624.tif 000002
【図２】
0004366624.tif 000003
【図３Ａ】
0004366624.tif 000004
【図８】
0004366624.tif 000005
【図３Ｂ】
0004366624.tif 000006
【図４】
0004366624.tif 000007
【図５】
0004366624.tif 000008
【図６】
0004366624.tif 000009
【図７】
0004366624.tif 000010
【図９】
0004366624.tif 000011
【図１０】
0004366624.tif 000012
【図１１】
0004366624.tif 000013
【図１２】
0004366624.tif 000014
【図１３】
0004366624.tif 000015
【図１４】
0004366624.tif 000016
0004366624.tif 000017